(57)【要約】【課題】  ゲージ本体の錆を防止しつつ、取手部の剛性を低下させないオイルレベルゲージを提供することにある。【解決手段】  本発明のオイルレベルゲージ１０は、ゲージガイドに挿入されるゲージ本体２０と、ゲージ本体２０の上部が埋設されたゴム状弾性体からなるシール部３０と、このシール部３０の上側に形成されたゴム状弾性体からなる取手部４０とを備えるものであって、取手部４０のゴム状弾性体は、シール部３０のゴム状弾性体よりも高硬度で、かつ、硬度がＨＳ８０以上であることを特徴とする。また、ゲージ本体２０の上端２１は、取手部４０に埋設されていてもよい。【選択図】図１
2017227548.tif 000002
【特許請求の範囲】
【請求項１】
ゲージガイドに挿入されるゲージ本体と、前記ゲージ本体の上部が埋設されたゴム状弾性体からなるシール部と、このシール部の上側に形成されたゴム状弾性体からなる取手部とを備えるオイルレベルゲージにおいて、
前記取手部のゴム状弾性体は、前記シール部のゴム状弾性体よりも高硬度で、かつ、硬度がＨＳ８０以上であることを特徴とするオイルレベルゲージ。
【請求項２】
請求項１に記載のオイルレベルゲージにおいて、
前記ゲージ本体の上端は、前記取手部に埋設されていることを特徴とするオイルレベルゲージ。
【発明の詳細な説明】
【技術分野】
【０００１】
本発明は、自動車等のエンジンオイルやミッションオイルの量を確認するためのオイルレベルゲージに関する。
【背景技術】
【０００２】
従来より、自動車等のエンジンオイルの量を確認するためのオイルレベルゲージ５１０として、図２に示すものが知られている。このオイルレベルゲージ５１０は、内燃機関のオイルパンに設けられた不図示のゲージガイドに挿入することで、オイルパン内のオイルを付着させ、油面レベルを確認し、オイルの汚れ具合を確認するための金属製のゲージ本体５２０と、このゲージ本体５２０の上部が埋設されたゴム状弾性体からなるシール部５３０と、このシール部５３０の上側に形成されたゴム状弾性体からなる取手部５４０とを備え、シール部５３０と取手部５４０は、単一のゴム状弾性体からなり、ゲージ本体５２０の上端５２１は、取手部５４０の上端近傍の内部まで達している。
【０００３】
そして、上記構成のオイルレベルゲージ５１０は、ゲージ本体５２０の上端５２１が不図示の成形用キャビティ内に位置するように金型へセットすると共に、不図示のガイドピンでゲージ本体５２０を挟むことによって支持し、成形用キャビティ内に成形材料を充填し、加硫成形した後で型開きすることによって製造される。
【先行技術文献】
【特許文献】
【０００４】
【特許文献１】特開２０１２−３１８１２号公報
【発明の概要】
【発明が解決しようとする課題】
【０００５】
しかし、上記構成のオイルレベルゲージ５１０は、成形後、ガイドピンで支持されていた箇所に形成される露出部５４３からゲージ本体５２０の一部５２２が露出するため、このゲージ本体５２０の一部５２２に錆が生じ易くなっている。
【０００６】
この課題に対して、ゲージ本体５２０を短くし、オイルレベルゲージ５１０を成形する際にガイドピンを使用しないことも考えられるが、取手部５４０におけるゲージ本体５２０の埋設長さが短いほど、ゴム状弾性体からなる取手部５４０の剛性の低下が懸念される。
【０００７】
本発明は、以上のような点に鑑みてなされたものであって、その技術的課題は、ゲージ本体の錆を防止しつつ、取手部の剛性を低下させないオイルレベルゲージを提供することにある。
【課題を解決するための手段】
【０００８】
上述した技術的課題を解決するための手段として、本発明のオイルレベルゲージは、ゲージガイドに挿入されるゲージ本体と、前記ゲージ本体の上部が埋設されたゴム状弾性体からなるシール部と、このシール部の上側に形成されたゴム状弾性体からなる取手部とを備えるオイルレベルゲージにおいて、前記取手部のゴム状弾性体は、前記シール部のゴム状弾性体よりも高硬度で、かつ、硬度がＨＳ８０以上であることを特徴とする。
【０００９】
また、前記ゲージ本体の上端は、前記取手部に埋設されていてもよい。
【発明の効果】
【００１０】
本発明のオイルレベルゲージによれば、取手部に高硬度ゴム材を採用したため、ゲージ本体の埋設長さを短くしても所要の剛性を保持することができ、その結果、取手部を成形する際にゲージ本体の上端部を金型のキャビティ内で支持するガイドピンが不要であるため、取手部にガイドピンによる露出部が形成されず、もって、ゲージ本体の錆を防止することができる。
【図面の簡単な説明】
【００１１】
【図１】本発明の実施形態に係るオイルレベルゲージの断面図である。
【図２】従来技術に係るオイルレベルゲージの断面図である。
【発明を実施するための形態】
【００１２】
以下において、本発明の実施形態に係るオイルレベルゲージ１０について図面に基づき詳細に説明する。図１は、本発明の実施形態に係るオイルレベルゲージ１０の断面図である。
【００１３】
本実施形態に係るオイルレベルゲージ１０は、図１に示すように、ゲージ本体２０と、このゲージ本体２０の上部が埋設されたゴム状弾性体からなるシール部３０と、このシール部３０の上側に形成されたゴム状弾性体からなる取手部４０とを備える。
【００１４】
ゲージ本体２０は、金属製の細い平板状の部品からなり、内燃機関のオイルパンなどに設けられた不図示の筒状のゲージガイドに挿入することでオイルパン内のオイルを付着させ、ゲージガイドから引き抜くことで油圧レベルを確認し、又は、オイルの汚れ具合を確認したりするものである。
【００１５】
シール部３０は、ゴム状弾性体からなるものであって、ゲージ本体２０の外面に一体的に加硫成形されている。このシール部３０の外周面には、ゲージガイドの内周面に対して所要の圧入代をもって圧入されることで、ゲージガイド内のオイルの漏洩を防止する複数のリップ部３１が設けられている。そして、ゲージ本体２０がゲージガイドの内面に挿入されたときに、シール部３０は、ゲージガイドの内面に収納され、外気から遮断される。
【００１６】
シール部３０は、ゲージガイド内のオイルの漏洩を防止する必要があることから、これに用いられるゴム状弾性体としては、硬度がＨＳ６０ないしＨＳ７０のニトリルゴムなどのシール性、耐油性に優れたものが好適である。
【００１７】
取手部４０は、シール部３０より高硬度のゴム状弾性体からなるものであって、ゲージ本体２０の上端２１の外面に一体的に加硫成形されている。この取手部４０は、ゲージ本体２０の上端２１が埋設される根元部４１と、この根元部４１の上側に形成された取手本体部４２とからなる。
【００１８】
取手部４０は、ゲージ本体２０がゲージガイドの内面に挿入されたときに、外気に曝される部分であるため、耐候性、耐熱性に優れた高硬度ゴム材を用いることが好適である。本実施形態では、取手部４０に用いられる高硬度ゴム材として、硬度ＨＳ９０のニトリルゴムを用いた。
【００１９】
次に、本実施形態に係るオイルレベルゲージ１０の製造方法について説明する。オイルレベルゲージ１０の製造に際しては、成形用キャビティを備える金型を用いる。この成形用キャビティは、シール部３０及び取手部４０の外形と同様の形状をなすものである。ゲージ本体２０を、その上端２１が成形用キャビティにおける取手部４０の根元部４１を成形する箇所に位置するように金型へセットし、型締めを行い、成形用キャビティ内にシール部３０及び取手部４０の成形材料を二色注入することで、シール部３０及び取手部４０を成形する。そして、型開きを行い、製造されたオイルレベルゲージ１０を取り出す。
【００２０】
以上により、本実施形態に係るオイルレベルゲージ１０によれば、シール部３０及び取手部４０の成形時に、従来技術におけるガイドピンを使用しないため、成形後、図２に示すような露出部５４３が形成されない。したがって、ゲージ本体２０が外気に露出することがなくなり、ゲージ本体２０に錆が生じることがなくなる。
【００２１】
また、本実施形態に係るオイルレベルゲージ１０によれば、取手部４０は、シール部３０よりも高硬度のゴム状弾性体によって構成されているため、取手部４０の剛性を高めることができる。
【００２２】
また、本実施形態に係るオイルレベルゲージ１０によれば、ゲージ本体２０の上端２１が取手部４０の根元部４１に達しているため、取手部４０とシール部３０が一体成形されていることに加え、ゲージ本体２０がシール部３０と取手部４０をまたがるようにして一体成形されることになる。したがって、取手部４０とシール部３０の接合強度を向上させることができる。
【００２３】
また、本実施形態に係るオイルレベルゲージ１０によれば、従来技術のようにゲージ本体５２０にガイドピンで支持するための切り欠きを設けるといった加工を施す必要がないため、オイルレベルゲージ１０のコスト、重量が上昇しない。
【００２４】
なお、本実施形態に係るオイルレベルゲージ１０は、ゲージ本体２０の上端２１を取手部４０における根元部４１に埋設しているが、ゲージ本体２０の上端２１がシール部３０の上端に位置するように成形してもよい。本実施形態に係るオイルレベルゲージ１０の取手部４０は、高硬度ゴム材を用いているため、ゲージ本体２０の上端２１が取手部４０の根元部４１に位置していなくともその剛性を十分に担保することができるためである。
【符号の説明】
【００２５】
１０    オイルレベルゲージ
２０    ゲージ本体
２１    上端
３０    シール部
３１    リップ部
４０    取手部
４１    根元部
４２    取手本体部
【図１】
2017227548.tif 000003
【図２】
2017227548.tif 000004